(57)【要約】【課題】精算時における顧客の安定した操作が可能であると共に精算作業がスムーズに行える代金精算装置の提供。【解決手段】ＰＯＳターミナル２と信号入出力可能に設置される装置であって、筐体３１内に設けられ、挿入される記録媒体Ｃへの読み書きが可能であり、記録媒体挿入返却口３４が筐体表面に開口される記録媒体リーダライタ３５と、現金投入口３２ａ、３３ａから投入される現金を引き受け可能であると共に引き受けた現金の金額を計数可能であり、且つ、指示された金額の現金を現金払出口３２ｂ、３３ｂから払い出し可能であり、現金投入口３２ａ、３３ａ及び現金払出口３２ｂ、３３ｂが筐体１３表面に開口される現金入出金部３２とからなり、筐体３１表面が精算位置における顧客Ａ３に対向して設置される。【選択図】  図１
2004227424.tif 000002
【特許請求の範囲】
【請求項１】
入金と商品代金とを受け付けて釣銭額を演算するＰＯＳターミナルと信号入出力可能に設置される装置であって、
記録媒体挿入返却口を備え、挿入される記録媒体への読み書きが可能な記録媒体リーダライタを有し、
現金投入口を備え投入される現金を識別可能な現金入金部、及び、現金払出口を備え現金を払い出す現金払出部のうち少なくとも一方を有し、
前記記録媒体リーダライタと、前記現金入金部及び前記現金払出部のうち少なくとも一方とを、前記ＰＯＳターミナルとは別体の同一筐体に備えることを特徴とする代金精算装置。
【請求項２】
前記代金精算装置は、現金投入口及び現金払出口の少なくとも一方と、記録媒体挿入返却口とを筐体正面に備えることを特徴とする請求項１記載の代金精算装置。
【請求項３】
信号入出力可能に接続されるＰＯＳターミナルより釣銭額を表す釣銭情報を受けて、前記記録媒体リーダライタが記録媒体に前記釣銭額を記録することを特徴とする請求項１〜２いずれか記載の代金精算装置。
【請求項４】
入金と商品代金とを受け付けて釣銭額を演算するＰＯＳターミナルと信号入出力可能に設置される装置であって、
記録媒体挿入返却口を備え、挿入される記録媒体への読み書きが可能な記録媒体リーダライタを有し、
現金払出口を備え、現金を払い出す現金払出部を有し、
記録媒体リーダライタと、現金入金部及び現金払出部のうち少なくとも一方とを、ＰＯＳターミナルとは別体の同一筐体に備え、
ＰＯＳターミナルから少なくとも釣銭額を表す釣銭情報を受け付け、記録媒体リーダライタが釣銭額の内所定金種額未満を記録媒体に記録し、現金払出部が所定金種額以上を払い出す代金精算装置。
【請求項５】
記録媒体が挿入されない場合であって代金を精算する場合には釣銭額全額を現金払出部より払出し、
記録媒体が挿入された場合には、記録媒体リーダライタによって記録媒体から釣銭を記録するか否かの特定情報を読み出して釣銭を記録するか否かを判別し、
釣銭を記録すると判別した場合には釣銭情報を記録媒体に記録し、釣銭を記録しないと判別した場合には釣銭情報を記録せずに全額を現金払出部より払い出す請求項４記載の代金精算装置。
【請求項６】
現金投入口を備え投入される現金を識別可能な現金入金部を有する請求項４〜５いずれか記載の代金精算装置。
【請求項７】
前記現金入金部を備える場合、受け入れた現金の情報をＰＯＳターミナルに出力することを特徴とする請求項１〜６いずれか記載の代金精算装置。
【請求項８】
現金入金部は、硬貨投入口から投入される硬貨を引き受け可能であると共に引き受けた硬貨の金額を計数可能な硬貨入金部、及び／又は、紙幣挿入口から挿入される紙幣を引き受け可能であると共に引き受けた紙幣の金額を計数可能な紙幣入出金部からなり、
現金払出部は、指示される金額の硬貨を硬貨払出口から払い出し可能な硬貨払出部、及び／又は、指示される金額の紙幣を紙幣払出口から払い出し可能な紙幣払出部からなり、
硬貨投入口、硬貨払出口、紙幣挿入口、紙幣払出口のうち、１又は複数或いは全てが筐体表面に開口されてなる請求項１〜７いずれか記載の代金精算装置。
【請求項９】
筐体が設置される面に固定されてなる請求項１〜８いずれか記載の代金精算装置。
【発明の詳細な説明】
【０００１】
【発明の属する技術分野】この発明は、入金と商品代金とを受け付けて釣銭額を演算するＰＯＳターミナルと連動し、釣銭やポイントの記録が可能なカード等の記録媒体を用いる代金精算装置に係り、詳細には、代金精算装置に於ける各機能部分の取付け技術に関する。
【０００２】
【従来の技術】従来、販売時点情報管理システム（以下、ＰＯＳシステムという）では、店頭で商品を販売した際の商品名、価格、購買者等の販売情報を販売時点で把握して記録していた。より具体的には、販売時点情報管理ターミナル（以下、ＰＯＳターミナルという）であるレジスタ装置によって、予め商品に印刷されたバーコードを光学的に読み取り、レジスタ装置内でデータ処理して販売情報を取得し記録すると共に、接続される管理コンピュータに同情報を送信し、管理コンピュータが商品の販売情報を一括管理していた。そして、レジスタ装置では、利用客から預かった金額と販売金額の合計とから釣銭を計算し、従業員が利用客から金額を受取り釣銭を受渡していた。
【０００３】
しかしながら、このＰＯＳシステムでは、販売店側の会計業務及び商品管理は効率化できるものの、購買する側の利用者には、会計にかかる時間が短縮できる以外には特段の効果を有しなかった。
そこで、利用者にも特典を与え集客をより良くするためのＰＯＳシステムとしては、予め登録された会員に対して特典を与えるものがあった。同ＰＯＳシステムでは、会員毎に識別可能な会員カードを配布しておき、ＰＯＳターミナルであるレジスタ装置には会員カードと情報の入出力が可能なカードリーダライタであるカード端末を設置しておく。そして、レジスタ装置による会計時に、カード端末によって会員カードに購入価格に対する一定の割合でポイントを付与していた。
【０００４】
しかしながら、これら従来の方法では、販売店の従業員と利用客との間では依然現金の受渡しを直接行わなくてはならず、ハンバーガーショップ等では従業員が直接現金に手を触れるので、衛生上好ましく無かった。更には、釣銭受渡し時の従業員による現金の紛失や横領などの不正行為に対処できなかった。又、会員に対して特典を与える従来の方法では、会員は予め会員登録を行って会員カードを取得しなければならないという問題点を有した。
【０００５】
そこで、上記問題点を解決すべく会計業務の時間を短縮するものとしては、ＰＯＳターミナルに硬貨入出金装置を接続して設け、店員が顧客から受け取った金額をＰＯＳターミナルに入力すると、ＰＯＳターミナルにおいて計算した釣銭を硬貨入出金装置から払い出し、店員が紙幣によって返却する釣銭額と硬貨入出金装置から払い出された硬貨とを顧客に渡す装置が有った。この装置によれば、釣銭のうち揃えるのに時間のかかる硬貨を自動的に払い出してくれるので、会計業務の時間を短縮可能となった。
一方、釣銭の授受の時間を短縮する装置として従来の釣銭支払い装置には、例えば、特開昭５８−１３７０７４号公報に有るような「電子式キャッシュレジスタ」が有った。この従来例では、調整単位未満となる釣銭を繰越額として金額を記録可能な釣銭カードに記録し、次回精算時には該繰越額を利用可能に構成される。このように調整単位未満の釣銭を繰越金として預かり次回利用可能とすることで、やはり釣銭の授受に要する時間の短縮が可能であった。
【０００６】
【発明が解決しようとする課題】しかしながら、硬貨入出金装置によって釣銭の内の硬貨を自動的に払い出し釣銭授受時間を短くした従来例によると、店員が硬貨入出金装置から硬貨による釣銭を掴んで顧客に渡す作業に要する時間と、釣銭の内の調整単位未満を釣銭カードに記録して釣銭授受時間を短くした従来例による顧客からの釣銭カードの授受及びカード端末への釣銭カードの抜き差し及び釣銭の書き込みに要する時間との差異はそれほど変わるものではなかった。
【０００７】
また、従来夫々別体で販売しているカード端末及び硬貨入出金装置並びに紙幣入出金装置を別体としてＰＯＳターミナルと接続すると共に、硬貨入出金装置の硬貨挿入口及び払出口、紙幣入出金装置の紙幣挿入口及び紙幣払出口、カード端末のカード挿排出口を夫々顧客側に位置するように設置することで、店員の作業時間を短縮可能となるので商品等の購入の際の精算時間が大幅に短縮可能になる一方で、レジにおける精算時にＰＯＳターミナルと接続して設けた硬貨入出金装置、紙幣入出金装置、カード端末が顧客の買い物かごや顧客の身体の一部と接触して絶えず位置が動いてしまい、顧客の作業に支障をきたすという問題が発生する可能性があった。更に場合によっては、各装置、特に最も軽量なカード端末が精算カウンタからフロアに落下して破損する等の問題が発生する可能性があった。
【０００８】
又、顧客によって支払われる代金或いは釣銭を格納されている硬貨入出金装置及び紙幣入出金装置が別体として簡単に移動可能に接続されていたのでは、顧客を装った強盗等の犯罪者が強く引く等して容易に持ち去りやすい構造となる問題点を有した。
この発明は、上記問題点に鑑み、精算時における顧客の安定した操作が可能であると共に精算作業がスムーズに行える代金精算装置の提供を課題とする。
【０００９】
【課題を解決するための手段】そこで、スムーズな精算を行うことが可能であるように、
入金と商品代金とを受け付けて釣銭額を演算するＰＯＳターミナルと信号入出力可能に設置される装置であって、
記録媒体挿入返却口を備え、挿入される記録媒体への読み書きが可能な記録媒体リーダライタを有し、
現金投入口を備え投入される現金を識別可能な現金入金部、及び、現金払出口を備え現金を払い出す現金払出部のうち少なくとも一方を有し、
前記記録媒体リーダライタと、前記現金入金部及び前記現金払出部のうち少なくとも一方とを、前記ＰＯＳターミナルとは別体の同一筐体に備えることを特徴とする代金精算装置、
【００１０】
を提供するので、記録媒体リーダライタと、現金入金部及び現金払出部の少なくとも一方を同一筐体に備えるので重量が増え、精算時に買い物かごや顧客の身体の一部或いは顧客の持ち物が装置に当たった程度では容易に装置が移動してしまうことがない。又、本発明の代金精算装置はＰＯＳターミナルと別体なので顧客が記録媒体の挿入返却、現金授受を直接行うため店員と顧客との間の現金授受に要する所要時間を短縮することができる。
尚、記録媒体リーダライタでは記録媒体へ釣銭額、ポイント情報、プリペイドした有価価値等を記録してもよいし、コンピュータに記録されたこれらの情報を特定するための例えばＩＤ情報を記録するようにしてもよい。
更にこの発明では、
【００１１】
前記代金精算装置は、
現金投入口及び現金払出口の少なくとも一方と、記録媒体挿入口とを筐体正面に備える、
【００１２】
ので、前記代金精算装置は、前記筐体正面が、顧客に対向した同一方向に向くため、顧客が記録媒体の挿入や返却の受け取り、現金の投入と受け取りの少なくとも一方を操作しやすく、かつ顧客が行うこれら操作の作業分担が減るので、レジ係員が顧客や代金精算装置に気をとられることなく商品代金の入力に集中でき、レジ打ちミスにより発生する違算金の減少にもつながる。
尚、筐体正面とは、筐体表面の顧客側に向く面であり、これら表面が顧客から視認可能かつ手の届く範囲であれば本発明に属する。
【００１３】
更に本発明では、上記代金精算装置が、
信号入出力可能に接続されるＰＯＳターミナルより釣銭額を表す釣銭情報を受けて、前記記録媒体リーダライタが記録媒体に前記釣銭額を記録する、
ので、記録媒体に釣銭額を記録可能となり、更に釣銭受け取りや財布にしまうのにかかる時間を短縮できる。
【００１４】
更に本発明では、
入金と商品代金とを受け付けて釣銭額を演算するＰＯＳターミナルと信号入出力可能に設置される装置であって、
記録媒体挿入返却口を備え、挿入される記録媒体への書き込みが可能な記録媒体リーダライタを有し、
現金払出口を備え、現金を払い出す現金払出部を有し、
記録媒体リーダライタと、現金払出部及び現金払出部のうち少なくとも一方とを、ＰＯＳターミナルとは別体の同一筐体に備え、
ＰＯＳターミナルから少なくとも釣銭額を表す釣銭情報を受け付け、記録媒体リーダライタが釣銭額の内所定金種額未満を記録媒体に記録し、現金払出部が所定金種額以上を払い出す代金精算装置、
【００１５】
を提供するので、釣銭受取のうち最も時間のかかる所定金種未満（例えば硬貨）の受け取り時間を省き、他の消費に使いたい所定金種の額以上を直接現金で受け取れるので、顧客に忌避されることもない。
又、釣銭の内所定金種額未満を記録媒体に記録可能な代金精算装置が、
、記録媒体が挿入されない場合であって代金を精算する場合には、釣銭額全額を現金払出部より払出し、
記録媒体が挿入された場合には、記録媒体リーダライタによって記録媒体から釣銭を記録するか否かの特定情報を読み出して釣銭を記録するか否かを判別し、
釣銭を記録すると判別した場合には釣銭情報を記録媒体に記録し、釣銭を記録しないと判別した場合には釣銭情報を記録せずに全額を現金払出部より払い出す
ので、お客のニーズに合わせて釣銭を預かったり、釣銭を全額返却することを選択可能であるとともに、記録媒体を持たないお客に対しては釣銭額を全額払い出すことができる。
【００１６】
更に又、所定金種額未満の釣銭情報を記録媒体に記録可能な代金精算装置が、
代金投入口を備え投入される現金を識別可能な現金入金部を有する、
ので、所定金額未満の釣銭情報を記録媒体に記録可能である上に、代金の支払いを顧客自身によって行えるようになるので、更に精算にかかる時間を短縮可能となる。
【００１７】
更にこの発明では、上記した代金精算装置が、
前記現金入金部を備える場合、受け入れた現金の情報をＰＯＳターミナルに出力する
ことが可能となるので、上記に加え商品の代金を直接本発明の代金精算装置に入金でき、店員が現金の受け取り処理にかかる時間を短縮できるとともに偽札受取、店員の数え間違えを防止できる。
【００１８】
更に本発明では、上記代金精算装置を、
現金入金部は、硬貨投入口から投入される硬貨を引受可能であると共に硬貨の金額を計数可能な硬貨入金部、及び／又は、紙幣挿入口から挿入される紙幣を引受可能であると共に引き受けた紙幣の金額を計数可能な紙幣入出金部からなり、
現金払出部は、指示される金額の硬貨を硬貨払出口から払い出し可能な硬貨払出部、及び／又は、指示される金額の紙幣を紙幣払出口から払い出し可能な紙幣払出部からなり、
硬貨投入口、硬貨払出口、紙幣挿入口、紙幣払出口のうち、１又は複数或いは全てが筐体表面に開口されてなる、
とするので、筐体内に全ての機能部の設置場所を用意しておくことで、現金入出金部の構成が使用する店舗によって異なる場合に、必要な構成のみを選択して代金精算装置に取り付け可能となり、コンポーネント化した代金精算装置を容易に提供可能となるので、生産性及び汎用性が格段に向上する。
そして同様に上記代金精算装置が、
筐体が設置される面に固定されてなる、
【００１９】
ので、代金精算装置の筐体が設置される面に固定されてなる構成にでき、装置の精算位置への取り付けは確固としたものとなり、設置を確実なものにすることができる。
【００２０】
【発明の実施の形態】以下に、この発明の実施の形態を、図面に基づき説明する。図１はこの発明の第１の実施の形態を実施した状態を表す説明図であり、図２は会員カードを表す説明図であり、図３は第１の実施の形態を表す斜視説明図であり、図４は第１の実施の形態を表す背面説明図であり、図５は第２の実施の形態を表す正面説明図である。
【００２１】
１は、この発明の実施の形態である代金精算装置を設置した代金支払システムである。代金支払いシステム１は、この実施の形態では、ハンバーガーショップに実施されるものを代表に説明し、接客用のカウンタＡ１を挟んで店員Ａ２が顧客Ａ３からの注文に応えハンバーガーや飲み物等の商品の受渡しを行うと共に代金の支払いを受けるものである。この実施の形態では、代金支払システム１はハンバーガーショップを例にするが、パン屋等の他の食品を販売する店でもよく、又、コンビニエンスストアやスーパーマーケットでもよく、現金を取扱い手の汚れた店員Ａ２が商品を扱いたくない場合に適用すればよい。又、ガソリンスタンド等店員Ａ２が汚れている手で現金を取扱って顧客Ａ３へ汚れた手で現金の受渡しを行いたくない場合にも適用可能であり、更に又、経営者が店員Ａ２を現金に触れさせたくない場合にも適用可能である。そして、代金支払システム１は、図１に表すように、会員カードＣ、レジスタ装置２、代金精算装置３、管理コンピュータ６とからなる。
【００２２】
Ｃは、記録媒体である会員カードである。会員カードＣは、図２に表すように、表面に磁性粉体を移動自在に封入した表示窓部であるカードビジブル部Ｃ１を設ける磁気カードからなる。カードビジブル部Ｃ１は、内部に封入された磁性粉体が外部から視認可能に透明のフィルム材で表面が被覆されており、カードリードライト部３５に設けた表示記載機能により磁性粉体が所定の位置に着磁されて留まることで、英数字等の文字を表現可能である。会員カードＣの裏面には磁気記録部（図示せず）が設けられ、会員カードＣ毎に会員カードＣを識別するためのカードＩＤや、所定額以内の釣銭の情報や、商品購入によって付与されるポイントの情報や、所持する会員の氏名・年齢等の個人情報や、暗証情報等が記録される。この磁気記録部（図示せず）がカードリードライト部３５によって読み書きされることとなる。この実施の形態では、会員カードＣは磁気カードからなるが、ＩＣカードからなっても良く、又カード形状ではなくＩＣを内蔵したコイン型の記録媒体等他の記録媒体からなってもよい。
【００２３】
２は、レジスタ装置である。レジスタ装置２は、ＰＯＳシステムに用いられるレジスタ装置からなり、カウンタＡ１の店員Ａ２側に設置され、代金精算装置３や図示しない他の装置と通信可能に接続される。そして、レジスタ装置２は、接客する店員Ａ２が顧客Ａ３の注文を聞取り、注文に応じて操作し、注文された各商品の料金を積算すると共に、積算した代金の合計金額を代金精算装置３へ信号出力可能である。又、レジスタ装置２は、ＰＯＳシステムのＰＯＳ端末としても機能するので、当日全体の売上集計や商品を売った日時・接客した店員等を記録可能である。又、レジスタ装置２には、商品に記載されたバーコードを読み取り可能なバーコードリード部（図示せず）が設けられ、店員Ａ２が商品のバーコード部をバーコードリード部（図示せず）表面を通過させることでバーコードを読み取り可能である。更に、レジスタ装置２には、店員Ａ２が手持ちでバーコードをスキャンするためのハンディスキャナ２５を接続し、商品をレジスタ装置２のバーコードリード部（図示せず）位置まで持ってこなくともバーコードをスキャン可能に形成する。
【００２４】
３は、代金精算装置である。代金精算装置３は、カウンタＡ１の顧客Ａ３側に設置され、レジスタ装置２と信号入出力可能に接続され、レジスタ装置２から顧客Ａ３が購入した商品の代金である合計金額を入力し、顧客Ａ３から代金を回収可能であり、図３に表すように、代金精算装置３内部には、紙幣入出金部３２及び硬貨入出金部３３、記録媒体リーダライタであるカードリードライト部３５が設けられる。そして、筐体３１の表面には、紙幣が挿入される紙幣挿入口３２ａ、硬貨が投入される硬貨投入口３３ａ、紙幣を返却する紙幣払出口３２ｂ、硬貨を返却する硬貨払出口３３ｂ、及び、会員カードＣが挿入されるカード挿入口３４を開口してなり、顧客Ａ３によって現金及び会員カードＣを挿入され、支払われた現金及び会員カードＣによって会計を行い、返却する釣銭の一部を会員カードＣに記録して顧客にカード挿入返却口３４から返却すると共に所定額以上の釣銭を現金で紙幣払出口３２ｂ、硬貨払出口３３ｂから返却可能である。
【００２５】
即ち、紙幣入出金部３２は、紙幣挿入口３２ａ及び紙幣払出口３２ｂを筐体３１表面に開口してなり、この実施の形態では紙幣入出金部３２は、紙幣挿入口３２ａから挿入される紙幣用の紙幣識別計数部と紙幣払出口３２ｂから払い出す紙幣用の紙幣計数払出部とを有する。そして、紙幣入出金部３２の紙幣挿入口３２ａから挿入された紙幣は、紙幣識別計数部によってその種別を識別され、種別毎に枚数を積算計数可能である。又、紙幣入出金部３２の紙幣払出口３２ｂから払い出す指示を入力した場合には、紙幣計数払出部によって、指示された種別の紙幣を指示された枚数払出可能である。尚、この実施の形態では、挿入された紙幣を識別計数する紙幣識別計数部と払い出す紙幣を計数する紙幣計数払出部とを夫々設けたが、１の紙幣識別計数部が紙幣計数払出部の機能を有して挿入された紙幣をストックしておき、紙幣払出しの必要な際にストックしておいた紙幣によって払い出すように構成しても良く、該構成であれば１つ装置によって実現可能となり、この場合には、紙幣挿入口３２ａが紙幣払出口３２ｂを兼ねて構成する。
【００２６】
同様に、硬貨入出金部３３は、硬貨投入口３３ａ及び硬貨払出口３３ｂを筐体３１表面の下方に開口してなり、硬貨入出金部３３は、硬貨投入口３３ａから投入された硬貨用の硬貨識別計数部と硬貨払出口３３ｂから払い出す硬貨用の硬貨計数払出部とを有する。そして、硬貨入出金部３３の硬貨投入口３３ａから挿入された硬貨は、硬貨識別計数部によってその種別を識別され、種別毎に枚数を積算計数可能である。又、硬貨入出金部３３の硬貨払出口３３ｂから払い出す指示を入力した場合には、硬貨計数払出部によって、指示された種別の硬貨を指示された枚数払出可能である。尚、この実施の形態では、投入された硬貨を識別計数する硬貨識別計数部と払い出す硬貨を計数する硬貨計数払出部とを夫々設けたが、１の硬貨識別計数部が硬貨計数払出部の機能を有して投入された硬貨をストックしておき、硬貨払出しの必要な際にストックしておいた硬貨によって払い出すように構成しても良く、該構成であれば１つ装置によって実現可能となり、この場合には、硬貨投入口３３ａが硬貨払出口３３ｂを兼ねて構成する。
【００２７】
従って、現金入出金部は紙幣入出金部３２及び硬貨入出金部３３とからなる。
又、カード挿入返却口３４内部には、カードリードライト部３５を設け、カード挿入返却口３４から挿入された会員カードに記録されている情報を読み取り可能であると共に、釣銭の情報を含む指示された情報を会員カードＣに記録可能である。又、カードリードライト部３５には、会員カードＣのカードビジブル部Ｃ１に所定の情報を磁性粉体によって表示させるよう磁化可能な表示記載機能を有してなる。その他カードリードライト部３５は、カードの搬送機能等、所謂カードリーダライタと同様の機能を有する。更にまた、カードリードライト部３５には、図４に表すように筐体３１の背面側へ会員カードＣを排出可能なカード挿入排出口３５ａを開口し、カードリードライト部３５は情報を読み取れない等不良カードを該排出口３５ａ側へ排出してカードの回収を店員Ａ２が行えるように形成する。又、カードリードライト部３５は、会員カードＣの新規発行も可能であり、図４に表すカード新規発行ボタンスイッチ３５ｂを押圧されると、店員Ａ２がカード挿入排出口３５ａから挿入する会員カードＣに会員カードＣとして必要な情報を書き込み新規発行可能であり、カード挿入排出口３５ａは新規発行するための会員カードＣ挿入口も兼ねる。
【００２８】
３６は確認ボタンスイッチであり、３７は取消ボタンスイッチである。確認ボタンスイッチ３６は、顧客Ａ３が現金の挿入、会員カードＣの挿入を終了し、代金の精算を行う際に押圧するスイッチであり、表示部３８の表示等によりその操作を顧客Ａ３が行う。同様に、取消ボタンスイッチ３７も、代金の精算を行う際に、例えば、表示部３８に表示された金額が正しくない場合等に顧客によって押圧されることで現在行われようとしている処理の取消が行われる。
３８は、表示部である。表示部３８は、顧客Ａ３が識別しやすい筐体３１の表面に設ける。表示部３８は、液晶表示部からなり、レジスタ装置２から入力した合計金額、現金入出金部である紙幣入出金部３２及び硬貨入出金部３３によって識別された現金の金額、カードリードライト部３５によって会員カードＣから読出された金額情報等を表示可能である。
又、代金精算装置３の背面下部には、図４に表すように外部機器接続部３９を設け、レジスタ装置２等と信号入出力可能なＬＡＮに接続する。
【００２９】
４０は、代金精算装置３の制御を行う制御部であり、外部機器接続部３９によってレジスタ装置２と通信を行い、支払われた代金の金額情報や、会員カードＣから読み取った釣銭情報やカードＩＤ等の情報を、レジスタ装置２や管理コンピュータ６に出力したり、購入した代金の合計金額や、発生したポイント情報等の各種情報を入力する。勿論、エラーコードの通信や、その他必要な情報の通信も行う。
【００３０】
このように形成する代金精算装置３は、レジスタ装置２から入力する釣銭金額を表す釣銭情報のうち、予め定める釣銭金種の額未満をカードリードライト部３５によって、次回の精算時に利用可能な釣銭情報として、引き受けている会員カードＣに記録可能である。この次回精算時に利用可能な釣銭情報の記録を行うか否かは、カードリードライト部３５に会員カードＣを引き受けた際に、予め会員カードＣに記録されている所定金種額未満の釣銭を釣銭情報として記録するか否かの情報をカードリードライト部３５が読み取り、読み取った情報に基づいて制御部４０が釣銭の内の所定金種額未満の釣銭を会員カードＣに記録するか否かを判断し、この判断に基づいてカードリードライト部３５が制御部４０に指示されて所定金種額未満の釣銭を次回精算時に利用可能な釣銭情報として記録可能である。
【００３１】
そして、会員カードＣに釣銭情報を記録した場合には、残りの釣銭額を紙幣入出金部３２及び硬貨入出金部３３によって、夫々紙幣払出口３２ｂ及び硬貨払出口３３ｂから払い出して顧客へ返却する。又、会員カードＣに釣銭の情報を記録しなかった場合には、全釣銭額を紙幣入出金部３２及び硬貨入出金部３３によって紙幣払出口３２ｂ及び硬貨払出口３３ｂから払い出して顧客へ返却することで。このように、予め定める釣銭金種額未満の釣銭は、会員カードＣに記録可能に形成する。尚、所定金種額未満の釣銭を会員カードＣに記録する詳細については、本願特許出願人の出願にかかる特願２００２−１９６７９８と同様のフローチャートによっても実現可能である。
【００３２】
管理コンピュータ６は、レジスタ装置２、代金精算装置３、精算機５と夫々信号入出力可能に接続され、従来の機能としての販売商品のデータ管理は勿論のこと、会員カードＣの固有データに基づき特定されない個人別データを管理することが可能であり、ＰＯＳシステムとしての統括的な機能を司る。
【００３３】
７は、代金精算装置３を固定するための固定金具である。固定金具７は、この実施の形態では、代金精算装置３の重量を支えられるように脚部７１を設け、脚部７１上部に設けた固定プレート７２をカウンタＡ１の下面から代金精算装置３下部に位置させ、代金精算装置３とボルトナット等の固定手段によりカウンタＡ１に固定する。この実施の形態では、固定金具７は、脚部７１を設けて代金精算装置３の重量を支えられるように形成したが、固定プレート７２のみをカウンタＡ１の下面からカウンタＡ１を狭持するようにボルトナット等によって固定してもよく、或いは、予め代金精算装置３の下部にナットを埋設固定し、ボルトがカウンタＡ１を貫通するようにカウンタＡ１の下部からナットに螺合させて固定しても良く、どのような方法によってカウンタＡ１に固定しても良い。
【００３４】
次いで、上述のように形成する代金精算装置３の作用を説明する。
顧客Ａ３が最初にカウンタＡ１で商品の注文をする。店員Ａ２は、注文された商品代金をレジスタ装置２へ入力し、商品注文が完了したところでレジスタ装置２に商品代金の合計を算出するよう指示すると共に、注文された商品を取り揃える。するとレジスタ装置２では、代金の合計を算出して代金精算装置３及び管理コンピュータ６へ出力する。このとき、レジスタ装置２は、代金精算装置３及び管理コンピュータ６夫々と並列に接続されていてもよく、又、どちらかを経由して接続されていても良い。尚、この実施の形態では、注文された商品を取り揃えるようなハンバーガーショップを例にしたが、スーパーマーケットのように顧客が買い物かご等に商品を入れて持ってくる場合にも実施可能であり、この場合には、各商品をレジスタ装置２に備えたバーコードリード部（図示せず）やハンディスキャナ２５によって読み取ったり、或いは、レジスタ装置２に設ける入力キー（図示せず）によって入力することで、購入した商品の合計代金が算出されても良い。
【００３５】
カウンタＡ１に設置された代金精算装置３では、接続されるレジスタ装置２から合計金額を入力して表示部３８へ表示し、顧客Ａ３へ代金の支払及び会員カードＣをカード挿入返却口３４へ挿入するよう促す。
【００３６】
顧客が会員カードＣをカード挿入返却口３４へ挿入し、且つ、合計代金相当額かそれ以上の金額を紙幣挿入口３２ａ及び硬貨投入口３３ａへ挿入する。尚、このとき表示部３８に表示されている合計金額は、会員カードＣの挿入があったので、挿入した会員カードＣからカードリードライト部３５が読み取った釣銭の金額情報に使用可能な金額があった場合には、使用可能である釣銭の金額情報を差し引いた金額が合計金額として表示される。
【００３７】
代金が紙幣挿入口３２ａ及び硬貨投入口３３ａから挿入されると、紙幣入出金部３２及び硬貨入出金部３３が挿入された現金を計算する。そして、合計代金以上の現金が紙幣挿入口３２ａ及び硬貨投入口３３ａから挿入され、確認ボタンスイッチ３６が押圧されると、制御部４０が挿入された現金から合計代金を減算する。次いで、代金精算装置３では、減算した結果求められた釣銭（残金）の金額情報を制御部４０がカードリードライト部３５に会員カードＣへ記録するよう指示する。カードリードライト部３５では、指示された金額の釣銭情報を挿入された会員カードＣへ記録し、次いで、筐体３１の顧客Ａ３側に設けたカード挿入返却口３４から情報を書き込んだ会員カードＣを顧客Ａ３へ返却する。
【００３８】
ここで、会員カードＣに記録される釣銭の情報は、予め設定される単位未満釣銭額である。即ち、予め１０００円未満を釣銭の情報として会員カードＣに記録するように設定されている場合には、支払いのあった現金金額から合計代金を減算して求めた釣銭の内、１０００円未満部分を釣銭の情報として記録し、千円以上の釣銭は現金によって返却されるのである。この予め定める単位未満釣銭額はシステムを司る管理コンピュータ６によって全ての会員カードＣに共通に設定されてもよく、又、会員カードＣ毎に顧客の希望する金額未満、即ち１００円未満、５００円未満、１０００円未満などのように個々に設定し、記録可能な最大釣銭額の情報として個々の会員カードＣに記録しておいてカードリードライト部３５によってその都度読み取ったり、或いは、管理コンピュータ６に会員カードＣのカードＩＤに対応して記録しておいた情報を読み出す等して、これら情報に基づいて記録する釣銭額を決定するようにしても良い。
【００３９】
会員カードＣに記録した釣銭の金額以外の釣銭は、紙幣で返却可能な金額部分は紙幣入出金部３２によって計数され紙幣払出口３２ｂから払い出し、残りの釣銭である硬貨によって返却可能な金額部分は硬貨入出金部３３によって計数され硬貨払出口３３ｂから払い出し、全釣銭額は会員カードＣに記録した金額、紙幣で返却した金額、及び、硬貨によって返却した金額の合計となり、実質上顧客Ａ３に返却済みとなる。
代金精算装置３では、紙幣入出金部３２及び硬貨入出金部３３によって合計代金以上の支払があり、代金支払が終了した場合には、代金の支払があった旨をレジスタ装置２へ通信出力する。
【００４０】
又、代金精算時に会員カードＣの挿入がなかった場合には、表示部３８へ会員カードＣの発行を希望するか否かを店員が顧客へ問いただし、発行を希望した場合には新たな会員カードＣをカード挿入排出口３５ａから挿入し、カード新規発行ボタンスイッチ３５ｂを押圧する。そして、代金の挿入を待ち受ける。
代金が紙幣挿入口３２ａ及び硬貨投入口３３ａから挿入されると、紙幣入出金部３２及び硬貨入出金部３３が挿入された現金を計算する。そして、合計代金以上の現金が紙幣挿入口３２ａ及び硬貨投入口３３ａから挿入され、確認ボタンスイッチ３６が押圧されると、制御部４０が挿入された現金から合計代金を減算する。次いで、代金精算装置３では、減算した結果求められた釣銭（残金）の金額情報を制御部４０が一時的に記憶し、カードリードライト部３５によって、店員Ａ２によってカード挿入排出口３５ａから供給された会員カードＣに釣銭金額の情報を記録し、次いで、筐体３１の顧客Ａ３側に設けたカード挿入返却口３４から情報を書き込んだ会員カードＣを顧客Ａ３へ返却する。尚、顧客Ａ３が会員カードＣの発行を希望しなかった場合には、釣銭の情報は記録されることなく釣銭全額が返却される。
【００４１】
従って、顧客Ａ３は、返却された会員カードＣに記録されている釣銭の情報が、次回以降の代金精算時に釣銭金額情報分の現金として使用可能となる。
管理コンピュータ６は、上述のような繰り返し行われる注文、代金支払、精算の各情報を入力して記憶し、店舗の売り上げ集計管理や店員Ａ２の管理を行う。更には、会員カードＣの識別コードに基づき、同一顧客が同一会員カードＣを使用していると見なして、来店の頻度や購入商品の傾向などを管理することができる。
【００４２】
第１の実施の形態では、紙幣及び硬貨共に店員Ａ２と顧客Ａ３との間で直接授受を行わないので、精算作業がスムーズに行え精算時の混雑は少なくなるが、一方で代金精算装置３の現金入出金部には紙幣入出金部３２及び硬貨入出金部３３が必須であり、代金精算装置３が高価になる。
そこで、代金精算装置３の価格をおさえ、且つ、精算作業の短縮もある程度行える第２の実施の形態を説明する。
【００４３】
第２の実施の形態は、代金精算装置３は代金の支払を紙幣と硬貨を併用して行うように形成した第１の実施の形態と異なり、紙幣のみによって支払可能にするものである。
即ち、第２の実施の形態では、図５に表すように、代金精算装置３には現金入出金部のうち硬貨入出金部３３を設けず、紙幣入出金部３２のみを設けて構成した例である。従って、硬貨投入口３３ａ及び硬貨払出口３３ｂも設けない。このように構成する代金精算装置３では、筐体３１内部は第１の実施の形態に設けた硬貨入出金部３３に相当する部分がスペースとして空いており、ねじ止め等によって即座に硬貨入出金部３３を取り付けることが可能なように形成されている。即ち、硬貨入出金部３３をユニットとして、筐体３１内部に取り付け可能に構成されている。同様に、硬貨投入口３３ａ及び硬貨払出口３３ｂに相当する部分には、それぞれめくらプレート３１ａがはめ込まれて取り付けられてなる。
【００４４】
上記以外の構成は第１の実施の形態と同様である。
ついで、第２の実施の形態の作用を説明する。
第２の実施の形態では、第１の実施の形態同様、顧客Ａ３の希望した商品を店員Ａ２がレジスタ装置２によって合計代金が算出される。
次いで、第１の実施の形態同様、顧客が会員カードＣをカード挿入返却口３４へ挿入し、且つ、合計代金相当額かそれ以上の金額を紙幣挿入口３２ａへ挿入する。尚、このとき表示部３８に表示されている合計金額は、会員カードＣの挿入があったので、挿入した会員カードＣからカードリードライト部３５が読み取った釣銭の金額情報に使用可能な金額があった場合には、使用可能である釣銭の金額情報を差し引いた金額が合計金額として表示される。
代金が紙幣挿入口３２ａから挿入されると、紙幣入出金部３２が挿入された現金を計算する。そして、合計代金以上の現金が紙幣挿入口３２ａから挿入され、確認ボタンスイッチ３６が押圧されると、制御部４０が挿入された現金から合計代金を減算する。次いで、代金精算装置３では、減算した結果求められた釣銭（残金）の金額情報を制御部４０がカードリードライト部３５に会員カードＣへ記録するよう指示する。カードリードライト部３５では、指示された金額の釣銭情報を挿入された会員カードＣへ記録し、次いで、筐体３１の顧客Ａ３側に設けたカード挿入返却口３４から情報を書き込んだ会員カードＣを顧客Ａ３へ返却する。
【００４５】
ここで、会員カードＣに記録される釣銭の情報は、第１の実施の形態同様、予め設定される単位未満釣銭額である。
代金精算装置３では、紙幣入出金部３２によって合計代金以上の支払があり、代金支払が終了した場合には、代金の支払があった旨をレジスタ装置２へ通信出力する。
【００４６】
又、代金精算時に会員カードＣの挿入がなかった場合には、表示部３８へ会員カードＣの発行を希望するか否かを店員が顧客へ問いただし、発行を希望した場合には新たな会員カードＣをカード挿入排出口３５ａから挿入し、カード新規発行ボタンスイッチ３５ｂを押圧する。そして、代金の挿入を待ち受ける。
代金が紙幣挿入口３２ａから挿入されると、紙幣入出金部３２が挿入された現金を計算する。そして、合計代金以上の現金が紙幣挿入口３２ａから挿入され、確認ボタンスイッチ３６が押圧されると、制御部４０が挿入された現金から合計代金を減算する。次いで、代金精算装置３では、減算した結果求められた釣銭（残金）の金額情報を制御部４０が一時的に記憶し、カードリードライト部３５によって、店員Ａ２によってカード挿入排出口３５ａから供給された会員カードＣに釣銭金額の情報を記録し、次いで、筐体３１の顧客Ａ３側に設けたカード挿入返却口３４から情報を書き込んだ会員カードＣを顧客Ａ３へ返却する。尚、顧客Ａ３が会員カードＣの発行を希望しなかった場合には、釣銭の情報は記録されることなく釣銭全額が返却される。このとき、紙幣で返却可能な釣銭額は紙幣入出金部３２によって紙幣払出口３２ｂから支払われ、硬貨に相当する金額の釣銭は店員が顧客に手渡しによって支払うこととなる。
【００４７】
上述のように、第２の実施の形態では、会員カードＣを使用する場合には代金の支払いが硬貨を用いずに行われ、硬貨に相当する金額の釣銭は全て会員カードＣに記録されることとなる。
このように、代金精算装置３を第２の実施の形態のように構成することで、精算作業のスピーディーさは第１の実施の形態より劣るものの、店員Ａ２と顧客Ａ３との間で紙幣の授受がない分精算作業をスムーズに行うことが可能となる一方で、代金精算装置３には硬貨入出金部３３を設けない分廉価にすることができる。又、店員Ａ２が受け取った硬貨を数え間違えた場合でも、紙幣の数え間違えに比し、違算金は小さくて済む。又、店員Ａ２による盗難の被害も懸念されるものの、盗難にあっても硬貨だけなので被害を少なくすることができる。
【００４８】
次いで、第３の実施の形態を説明する。但し、第３の実施の形態の構成は第２の実施の形態とよく似ているため図示せずに説明する。
第３の実施の形態では、硬貨による代金の支払を代金精算装置３によって自動的に行えるようにし、紙幣による代金の授受及び釣銭の支払いは店員Ａ２と顧客Ａ３との間で直接行うようにするものである。
【００４９】
即ち、第３の実施の形態では、代金精算装置３には現金入出金部のうち紙幣入出金部３２を設けず、硬貨入出金部３３のみを設けて構成した例である。従って、紙幣投入口３２ａ及び紙幣払出口３２ｂも設けない。このように構成する代金精算装置３では、筐体３１内部は第１の実施の形態に設けた紙幣入出金部３２に相当する部分がスペースとして空いており、ねじ止め等によって即座に紙幣入出金部３２を取り付けることが可能なように形成されている。即ち、紙幣入出金部３２をユニットとして、筐体３１内部に取り付け可能に構成されている。同様に、紙幣挿入口３２ａ及び紙幣払出口３２ｂに相当する部分には、それぞれめくらプレート３１ａがはめ込まれて取り付けられてなる。
【００５０】
上記以外の構成は第１の実施の形態と同様である。そして、第３の実施の形態では、第１の実施の形態同様、顧客Ａ３の希望した商品を店員Ａ２がレジスタ装置２によって合計代金が算出される。
次いで、支払代金の内顧客Ａ３が紙幣によって支払う代金部分については、顧客Ａ３が直接店員Ａ２に支払う。紙幣を受け取った店員Ａ２は、レジスタ装置２に受け取った金額を入金として入力部（図示せず）から入力する。入力作業により、レジスタ装置２では、入力された金額をすでに支払われた代金として、先に算出した合計代金から減算する。
【００５１】
すると、代金精算装置３では、レジスタ装置２から紙幣により支払われた代金を減算した金額が、表示部３８に未精算であり支払うべき代金として表示され、顧客Ａ３に代金の支払いを促すと共に、会員カードＣの挿入を促す表示を行う。顧客Ａ３は、第１の実施の形態同様、会員カードＣをカード挿入返却口３４へ挿入し、且つ、合計代金相当額かそれ以上の金額を硬貨挿入口３３ａへ挿入する。尚、このとき表示部３８に表示されている合計金額は、会員カードＣの挿入があったので、挿入した会員カードＣからカードリードライト部３５が読み取った釣銭の金額情報に使用可能な金額があった場合には、使用可能である釣銭の金額情報を差し引いた金額が合計金額として表示される。
【００５２】
代金が硬貨投入口３３ａから投入されると、硬貨入出金部３３が投入された現金を計算する。そして、すでに紙幣による支払い及び会員カードＣの使用可能な金額が減算された合計代金以上の現金が、硬貨投入口３３ａから投入され、確認ボタンスイッチ３６が押圧されると、制御部４０が挿入された現金から合計代金を減算する。次いで、代金精算装置３では、減算した結果求められた釣銭（残金）の金額情報を制御部４０がカードリードライト部３５に会員カードＣへ記録するよう指示する。カードリードライト部３５では、指示された金額の釣銭情報を挿入された会員カードＣへ記録し、次いで、筐体３１の顧客Ａ３側に設けたカード挿入返却口３４から情報を書き込んだ会員カードＣを顧客Ａ３へ返却する。
【００５３】
ここで、会員カードＣに記録される釣銭の情報は、紙幣による支払い可能な単位以下である予め設定される単位未満釣銭額となっている。
代金精算装置３では、硬貨入出金部３３によって合計代金以上の支払があり、代金支払が終了した場合には、代金の支払があった旨をレジスタ装置２へ通信出力する。
又、代金精算時に会員カードの挿入がなかった場合には、表示部３８へ会員カードＣの発行を希望するか否かを店員が顧客へ問いただし、発行を希望した場合には新たな会員カードＣをカード挿入排出口３５ａから挿入し、カード新規発行ボタンスイッチ３５ｂを押圧する。そして、代金の挿入を待ち受ける。
【００５４】
代金が硬貨投入口３３ａから投入されると、硬貨入出金部３３が挿入された現金を計算する。そして、合計代金以上の現金が硬貨投入口３３ａから挿入され、確認ボタンスイッチ３６が押圧されると、制御部４０が挿入された現金から合計代金を減算する。次いで、代金精算装置３では、減算した結果求められた釣銭（残金）の金額情報を制御部４０が一時的に記憶し、カードリードライト部３５によって、店員Ａ２によってカード挿入排出口３５ａから供給された会員カードＣに釣銭金額の情報を記録し、次いで、筐体３１の顧客Ａ３側に設けたカード挿入返却口３４から情報を書き込んだ会員カードＣを顧客Ａ３へ返却する。尚、顧客Ａ３が会員カードＣの発行を希望しなかった場合には、釣銭の情報は記録されることなく釣銭全額が返却される。このとき、硬貨で返却可能な釣銭額は硬貨入出金部３２によって硬貨払出口３３ｂから支払われ、紙幣に相当する金額の釣銭は店員が顧客に手渡しによって支払うこととなる。
【００５５】
上述のように、第３の実施の形態では、会員カードＣを使用する場合には代金精算装置３への代金の支払いが紙幣を用いずに行われ、紙幣に相当する金額の釣銭は直接店員Ａ２から顧客Ａ３へ行われることとなる。
このように、代金精算装置３を第３の実施の形態のように構成することで、紙幣に比べ店員Ａ２による計算に時間のかかる硬貨の計算を硬貨入出金部３３が行い紙幣の授受を店員Ａ２と顧客Ａ３との間で直接行うので、第２の実施の形態より更に精算作業をスムーズに行うことが可能となる一方で、代金精算装置３には紙幣入出金部３２を設けない分、第２の実施の形態同様、廉価にすることができる。しかしながら、店員Ａ２が受け取った紙幣の数え間違えをした場合には、第２の実施の形態より、違算金は大きく損害は大きい。又、店員Ａ２による盗難も懸念されることとなる。
【００５６】
次いで、第４の実施の形態を説明する。第４の実施の形態は、第１の実施の形態ないし第３の実施の形態と異なり、代金精算装置３にはカードリードライト部３５を設けず、現金入出金部である紙幣入出金部３２及び硬貨入出金部３３のみを設けた構成であり、その他は第１の実施の形態同様である。
このように形成する第４の実施の形態では、代金の授受が全て現金入出金部である紙幣入出金部３２及び硬貨入出金部３３によって行われるが、会員カードＣは使用できないので、釣銭は全額顧客Ａ３に返却されることとなる。
【００５７】
そして第４の実施の形態では、顧客Ａ３が最初にカウンタＡ１で商品の注文をすると、第１の実施の形態同様、店員Ａ２は、注文された商品代金をレジスタ装置２へ入力し、商品注文が完了したところでレジスタ装置２に商品代金の合計を算出するよう指示すると共に、注文された商品を取り揃える。するとレジスタ装置２では、代金の合計を算出して代金精算装置３及び管理コンピュータ６へ出力する。
カウンタＡ１に設置された代金精算装置３では、接続されるレジスタ装置２から合計金額を入力して表示部３８へ表示し、顧客Ａ３へ代金を支払うよう促す。
【００５８】
顧客が合計代金相当額かそれ以上の金額を紙幣挿入口３２ａ及び硬貨投入口３３ａへ挿入する。
代金が紙幣挿入口３２ａ及び硬貨投入口３３ａから挿入されると、紙幣入出金部３２及び硬貨入出金部３３が挿入された現金を計算する。そして、合計代金以上の現金が紙幣挿入口３２ａ及び硬貨投入口３３ａから挿入され、確認ボタンスイッチ３６が押圧されると、制御部４０が挿入された現金から合計代金を減算する。次いで、代金精算装置３では、紙幣入出金部３２及び硬貨入出金部３３によって合計代金以上の支払があり、代金支払が終了した場合には、代金の支払があった旨をレジスタ装置２へ通信出力する。
次いで、代金精算装置３では、減算した結果求められた釣銭の金額を、紙幣で返却可能な金額部分は紙幣入出金部３２によって計数され紙幣払出口３２ｂから払い出し、残りの釣銭である硬貨によって返却可能な金額部分は硬貨入出金部３３によって計数され硬貨払出口３３ｂから払い出す。
【００５９】
従って、全釣銭額は紙幣で返却した金額及び硬貨によって返却した金額の合計となり、客Ａ３に返却済みとなる。
このように、第４の実施の形態によれば、会員カードＣを使用しないので、記録媒体リーダライタであるカードリードライト部３５を必要とせず、代金精算装置３を廉価に構成でき、且つ、現金の授受が第１の実施の形態同様、顧客Ａ３と店員Ａ２との間で行われないので、精算作業をスムーズに行うことが可能であるが、一方で、会員カードＣを用いて行える付加価値であるポイントの付与や顧客の管理ができないと共に、会員カードＣに記録することで釣銭を預かり金とできないので、運用資金等として預かり金である釣銭を利用できなくなる。
【００６０】
次いで、第５の実施の形態を説明する。第５の実施の形態は、第１の実施の形態ないし第４の実施の形態と異なり、代金精算装置３にはカードリードライト部３５のみを設け、現金入出金部である紙幣入出金部３２及び硬貨入出金部３３を設けない構成であり、その他は第１の実施の形態同様である。
従って、第５の実施の形態では、第１の実施の形態同様、顧客Ａ３の希望した商品を店員Ａ２がレジスタ装置２によって合計代金が算出され、顧客が会員カードＣをカード挿入返却口３４へ挿入する。尚、このとき表示部３８に表示されている合計金額は、会員カードＣの挿入があったので、挿入した会員カードＣからカードリードライト部３５が読み取った釣銭の金額情報に使用可能な金額があった場合には、使用可能である釣銭の金額情報を差し引いた金額が合計金額として表示部３８に表示される。
【００６１】
そこで、顧客Ａ３は表示部３８に表示された代金以上の金額を、硬貨及び又は紙幣によって直接店員Ａ２に渡す。店員Ａ２は顧客Ａ３から受け取った現金をレジスタ装置２の入力部（図示せず）から入力する。すると、レジスタ装置２では、購入代金から入力された金額を更に差し引き釣銭を算出する。
次いで、代金精算装置３では、減算した結果求められた釣銭（残金）の金額情報を制御部４０がカードリードライト部３５に会員カードＣへ記録するよう指示する。カードリードライト部３５では、指示された金額の釣銭情報を挿入された会員カードＣへ記録し、次いで、筐体３１の顧客Ａ３側に設けたカード挿入返却口３４から情報を書き込んだ会員カードＣを顧客Ａ３へ返却する。
【００６２】
ここで、会員カードＣに記録される釣銭の情報は、第１の実施の形態同様、予め設定される単位未満釣銭額である。従って、所定金額未満の釣銭が会員カードＣに記録され、所定金額以上の釣銭があった場合には、所定金額未満以外の釣銭は店員Ａ２から顧客Ａ３に手渡しによって授受される。
又、代金精算時に会員カードの挿入がなかった場合には、表示部３８へ会員カードＣの発行を希望するか否かを店員が顧客へ問いただし、発行を希望した場合には新たな会員カードＣをカード挿入排出口３５ａから挿入し、カード新規発行ボタンスイッチ３５ｂを押圧する。そして、代金の挿入を待ち受ける。
【００６３】
上述のように、第５の実施の形態では、代金の支払いが店員Ａ２と顧客Ａ３との間で手によって授受されるので精算作業に要する時間はかかるものの、現金入出金部である紙幣入出金部３２及び硬貨入出金部３３を必要としないため、代金精算装置３は最も廉価にできる。
尚、詳細は記述しないが、各実施の形態において、カードリードライト部３５を代金精算装置３の構成に設けた場合には、通常行われる既知のサービスであるポイントの付与も可能である。即ち、購入代金の金額に応じてポイントを付与し、このポイントを会員カードＣに積算録させ、該ポイントを精算代金の一部として使用可能にしたり、所定値以上のポイントを貯蓄すると貯蓄したポイントに見合った賞品を顧客にプレゼントしたりするように形成することも可能である。
【００６４】
又、第２の実施の形態及び第３の実施の形態では、代金精算装置３を廉価にするために紙幣入出金部３２或いは硬貨入出金部３３の何れかを構成から無くした実施の形態を説明したが、例えば、硬貨入出金部３３は投入された硬貨の引き受けはできないものの硬貨の払い出しは可能であり、硬貨払出口３３ｂからの硬貨の払い出しのみが可能に形成すれば、顧客Ａ３が紙幣のみでしか自動化された支払いを行えず、硬貨による支払いは直接顧客Ａ３及び店員Ａ２間で手渡しで行うように形成することも可能である。この場合などは、顧客Ａ３が紙幣で支払う場合が多いファーストフード店や飲食店などでは、顧客Ａ３によっては金銭の授受を完全に自動化できると共に、硬貨入出金部３３は顧客Ａ３の支払う硬貨を引き受けて計数する機能を必要としないので、比較的廉価に構成できるので有効である。更に例えば、１０００円未満の釣銭は必ず会員カードＣに記録すると決めてしまえば、硬貨入出金部３３が硬貨の払い出しはできないが引き受けのみを可能に構成し硬貨投入口３３ａのみを設け硬貨払出口３３ｂを設けずに構成しても同様の効果が期待でき、第１の実施の形態同様現金の受け渡しの完全自動化が可能であり（どうしても釣銭を硬貨で欲しがる顧客に対しては、硬貨を直接店員Ａ２が手渡しで顧客Ａ３に渡すようにすればよい。）、且つ、硬貨入出金部３３が硬貨の引き受けのみ行えるように形成するので、比較的廉価に構成できる。紙幣入出金部３２についても、硬貨入出金部３３同様、釣銭を紙幣による払い出しはできるが紙幣による代金の受付はできない、或いは、紙幣による代金の受付はできるが紙幣による釣銭の払い出しができないと言うように構成することで、５００円未満の少額の支払いが多い店舗への利用などでは、前記同様の効果が期待できる。
【００６５】
【発明の効果】本発明によれば、記録媒体リーダライタと、現金入金部及び現金払出部を同一筐体内に納め、且つ、前記記録媒体リードライト部と、前記現金入金部及び前記現金払出部のうち少なくとも一方とを、前記ＰＯＳターミナルとは別体の同一筐体に備えるので、顧客による現金の投入及び釣銭の受け取りが容易に行えると共に記録媒体の挿入及び受け取りも容易に行え、精算時間を短縮可能となり、更に同一筐体内に設置することで、代金精算装置が、顧客或いは顧客の所持品との接触、又は、買い物かごとの接触により容易に移動しないようにできるという特段の効果を奏する。
【００６６】
又、店員が現金に触れないので、店員による窃盗等の不正を未然に防止可能であると共に、店員による現金の数え間違えである違算金を減少可能である。
【００６７】
更に又、現金入出金部を紙幣入出金部及び硬貨入出金部の何れかから構成可能なので、代金精算装置のコンポーネント化が図れ、硬貨のみ或いは紙幣のみによる支払い代金の授受及び釣銭の授受を店員と顧客との間で直接行うようにもできるので、ある程度の精算時間の短縮を図りながら代金精算装置のコストも抑えることができるという効果を奏する。又、これにより、店舗によっては不要である構成を代金精算装置から排除できるので、汎用性が出ると共に装置の大量生産が可能となり、より廉価にすることが可能となる。
【００６８】
更に又、代金精算装置を設置位置に固定することで、強盗等によって容易に持ち去られる事を未然に防止可能である。
【図面の簡単な説明】
【図１】第１の実施の形態を実施した状態を表す説明図
【図２】会員カードを表す説明図
【図３】第１の実施の形態を表す斜視説明図
【図４】第１の実施の形態を表す背面説明図
【図５】第２の実施の形態を表す正面説明図
【符号の説明】
Ａ１  カウンタ
Ａ２  店員
Ａ３  顧客
Ｃ    会員カード
Ｃ１カードビジブル部
１    代金支払システム
２    レジスタ装置
２５  ハンディスキャナ
３    代金精算装置
３１  筐体
３１ａ  めくらプレート
３２  紙幣入出金部
３２ａ  紙幣挿入口
３２ｂ  紙幣払出口
３３  硬貨入出金部
３３ａ  硬貨投入口
３３ｂ  硬貨払出口
３４  カード挿入返却口
３５  カードリードライト部
３５ａ  カード挿入排出口
３５ｂ  カード新規発行ボタンスイッチ
３６  確認ボタンスイッチ
３７  取消ボタンスイッチ
３８  表示部
３９  外部機器接続部
４０  制御部
５    精算機
６    管理コンピュータ
７    固定金具
７１  脚部
７２  固定プレート
【図１】
2004227424.tif 000003
【図２】
2004227424.tif 000004
【図３】
2004227424.tif 000005
【図４】
2004227424.tif 000006
【図５】
2004227424.tif 000007